(57)【要約】      （修正有）【課題】疑似餌の重心位置が中央付近にあっても、疑似餌が水中で水平になることなく、水の抵抗を軽減し、針を下に降下させることのできる疑似餌を提供。【解決手段】疑似餌の進行及び落下方向の先端に抵抗値の少ない形状をした半球を有するピン４を突出させて設置、新たな水中波を発生させ、その後に発生する疑似餌の水中波と混合し、互いに打ち消し合わせて減少させ、疑似餌に与える抵抗を軽減し、水中での動きを制御する。【選択図】図１
2007209312.tif 000002
【特許請求の範囲】
【請求項１】
疑似餌の進行及び落下方向の先端に、半球・円錐又それらの変形したものを含めた抵抗値の少ない形状をした突起物を突出させて設置、新たな水中波を発生させ、その後に発生する疑似餌の水中波と混合し、互いに打ち消し合わせて減少させ、疑似餌に与える抵抗を軽減し、水中での動きを制御する疑似餌。
【発明の詳細な説明】
【技術分野】
【０００１】  本発明は、疑似餌の進行方向の先端に、半球の突起物を設置し、新たな水中波を発生させ、その後に発生する疑似餌の水中波と混合し、互いに打ち消し合わせて抵抗を軽減し、水中での動きを制御する疑似餌に関する。
【背景技術】
【０００２】  比較的水面に近い深さで烏賊釣りをする場合は、烏賊針を釣糸に付けて一匹ずつ釣上げる漁法が盛んに行なわれています。このような状況において、釣り人が込み合い隣人との間隔が狭くなる時は、トラブルを避けるため、垂直に作動させる疑似餌を使用します。
そこで、垂直作動する従来の烏賊針を再検討すると、餌木にあたる胴の部分を比重の軽い竹やプラスチックで作り、針を固定する部分の芯に重い鉛などを使用しています。【０００３】  疑似餌の胴が構造的に重いものや重心位置が中央付近にあるものは、垂直に降下する事が困難となる場合が多いので、この疑似餌を垂直の動きに変更させるためには、従来の構造原理を再考する必要があります。
そこで本案は、疑似餌を垂直に動かす新たな方法について記載するものです。【０００４】
【特許文献】  特願        ２００５−２１１８９０
【発明の開示】
【発明が解決しようとする課題】
【０００５】  疑似餌の構造を変更せず、その胴を長くして疑似餌の胴に直接烏賊針を固定し、重心位置をやや中央付近に置き、疑似餌を垂直作動で操作する時、引き上げられた疑似餌は上で急に開放されると、次に降下しようとするが、水の抵抗で横になって斜めに降下し始め、釣糸の抵抗が増すにつれて針を下に斜めに降下する。
又、疑似餌の構造を変更せず、材質を変更するなどして、さらに重心位置を釣糸側に移動すると、横になってゆっくりと降下する。【０００６】  このような疑似餌は、水中で水平に保たれる構造ですが、疑似餌の胴の構造が重要で垂直の動きをさせたい場合は、疑似餌の重心位置が中央付近にあっても、水の抵抗を軽減し、針を下に降下させる方法が必要です。
いずれにしても疑似餌は自重で降下するのですから、釣り場に合わせた重量と疑似餌の針を下に降下させる推進力が生ずるように計画する事が重要な要素です。
【課題を解決するための手段】
【０００７】  釣り場の状況によって、同じ形状の疑似餌でも、一部の変更で横方向でも垂直方向でも自在に変更できる疑似餌があれば非常に便利です。従って、胴の基本構造を変更する事なく、疑似餌を制御する事が不可欠な設計条件となります。
設計条件１
疑似餌を水中で動かすと水中波が発生し、烏賊針やその固定部の断面・胴に水の抵抗が与えられ、水中を通過するとき抵抗が起きる。その水中波を減少させて抵抗を軽減させるためには、新たな水中波を発生させる必要がある。
設計条件２
烏賊針の進行及び落下方向の先端に、半球・円錐又それらの変形したものを含めた抵抗値の少ない形状をした突起物を突出させて設置、新たに水中波を発生させ、その後に発生する疑似餌の水中波と混合し、互いに打ち消し合わせて減少させ、疑似餌に与える抵抗を軽減し、水中での動きを制御する。
【発明の効果】
【０００８】  疑似餌の胴の構造が重要で構造を変更できず、胴を延長して烏賊針を図１と同じように固定し、胴先端の烏賊針固定部に円錐形の突起物を取付け実験したのですが、横方向に滑り変化はなかった。
原因は、円錐形の底面が胴の烏賊針固定部に接し、完全に烏賊針の前に出ていなかったため、新たな水中波の発生がなかったためです。
上記の理由から、新たな水中波を発生させるためには、棒状のピンを使用し、円錐形の突起物を烏賊針よりも前に突出させる必要性に気が付いたのです。【０００９】  新たな水中波を発生させるピン先端の物体形状は、半球・円錐・円板などありますが、突出と抵抗係数の少ない半球の形状を利用する事としたのです。
この半球を有するピン先端は、烏賊針より半球を確実に突出させます。
槍烏賊針は、図１のように曲げている部分が大きいので、直線部を固定しても曲線部は疑似餌よりはみ出します。
従って、槍烏賊針取付け部の胴から半球の先端部までは、半球の高さと針が疑似餌からはみ出した長さの和になります。【００１０】  疑似餌の進行及び落下方向の先端に、半球を有するピンを設置し、新たな水中波を発生させ、その後に発生する烏賊針・固定環や疑似餌に生ずる水中波と混合し、互いに打ち消し合わせて減少させ、疑似餌に与えられる抵抗を軽減し、胴の構造を変更せずに、垂直に降下できるようにしました。
実施結果は、良好であり問題はなかった。
【発明を実施するための最良の形態】
【実施例１】
【０００１１】  図１の疑似餌は実寸を示し、１胴の一端に２烏賊針を３固定環で固定・その中央部に４半球を有するピンの半球部を２烏賊針より前に突出させて固定する。
アルミニウムの１胴は外径６ｍｍｘ内径１ｍｍの管で５光を通す孔を有し、上部を６夜光性合成樹脂で覆い、７リング付きボルトを装着して一体の疑似餌としています。このため、重心位置は、１胴が８ゴムパッキンと接する面から３６ｍｍ左となります。【００１２】  ２烏賊針の大きさや形状にもよりますが、槍烏賊針は図のように大きく弧を画いているため、１胴に固定しても接しない部分があり、９号の場合は、１胴の端より約４ｍｍ飛び出します。
４半球を有するピンは、外径４ｍｍを使用し、半球には０．５ｍｍの余裕を加えて２烏賊針より２．５ｍｍ先に出る長さとし、ピン全体の長さを１胴の３固定環より６．５ｍｍとします。
出来上がった疑似餌を垂直に動かして試験した結果は、横にならず、垂直に近い勾配で降下し、従来の胴を竹で作った疑似餌と同様に上下に作動しており、疑似餌の動きは良好であった。
【実施例２】
【００１３】  重量も重要な要素ですから、図３では８ｇの疑似餌を示し、図１の疑似餌より２ｇ少なく作られています。
図３の新たな水中波を発生させる疑似餌では、細い真鍮の４半球を有するピンに２烏賊針を３固定環で固定させ、アルミニウムの８隙間調整管を介して、短くした１胴に固定し、重量を軽減した疑似餌を示すものであり、疑似餌の胴自体の構造は、図１と同じ構造です。【００１４】  ４半球を有するピンの径は、図３では外径３ｍｍと細くなります。この結果、２烏賊針の間隔を図１及び図２と同様にすると、針数は、図３の細いピンでは８個となり、針の数が少なくなってコストの削減になりました。
４半球を有するピンの先端は、２烏賊針から２．５ｍｍ突出させ、３固定環からピン先端までの長さを６．５ｍｍとし、ここで、新たな水中波を発生させるようにしました。
実寸の図２の重心位置は、１胴が８ゴムパッキンと接する面から３１ｍｍ左です。
試験結果は、ほぼ垂直で降下し成功しました。
【産業上の利用可能性】
【００１５】  疑似餌の進行及び落下方向の先端に、半球を有するピンを設置し、新たな水中波を発生させ、その後に発生する疑似餌の水中波と混合させ、互いに打ち消し合わせて減少させ、疑似餌に与える抵抗を軽減できるという事は、ピンの交換で横にも垂直にも使えるという利点があり、疑似餌を作る上で利用価値が大きいのです。
【図面の簡単な説明】
【００１６】
【図１】    半球を有するピンを備えた疑似餌の構造を側面から見た部分断面図
【図２】    図１の左側面図
【図３】    半球を有するピンを細くした疑似餌の構造を側面から見た部分断面図
【符号の説明】
【００１７】１．    胴
２．    烏賊針
３．    固定環
４．    半球を有するピン
５．    光を通す孔
６．    夜光性合成樹脂
７．    リング付きボルト
８．    ゴムパッキン
９．    隙間調整管
【図１】
2007209312.tif 000003
【図２】
2007209312.tif 000004
【図３】
2007209312.tif 000005